(57)【要約】【課題】壁貫通設置型燃焼機が設置される浴室において、浴室壁面に浴槽を固定するためのねじ穴を設けたり、ねじ止めする必要がなく、浴室壁面の防水性を損なうことなく取付強度が確保できる浴槽の固定装置を提供する。【解決手段】壁貫通設置型燃焼機８を設置する浴室外壁の貫通孔の浴室内の開口部周縁に配設される固定枠部４ａと、固定枠部４ａの一方の縦枠から横方向に張り出す平板状の延長部４ｂを設けた壁面固定具４の固定枠部４ａ部分を、壁貫通設置型燃焼機８の外装固定部８ｂと浴室の内壁面７ａとの間に位置させて壁貫通設置型燃焼機８を浴室内壁面に取付けることにより壁面固定具４を固定して、壁面固定具４の延長部４ｂに、一端を浴槽１側に固定した取付具３の垂下接続部３ｂをねじ止めして浴槽１を固定する。【選択図】  図１
2004208927.tif 000002
【特許請求の範囲】
【請求項１】
壁貫通設置型燃焼機が設置される浴室外壁の貫通孔の浴室内の開口部周縁に配設される固定枠部と、この固定枠部の一方の縦枠から横方向に張り出す延長部を設けた壁面固定具を介して、前記貫通孔に浴室内から設置する壁貫通設置型燃焼機が浴室壁面に固定され、浴槽の上縁面垂下部に取付けた浴槽固定具の前記浴室壁面方向に向かう接続部に、接続部の端部から垂下して垂下接続部を設けた取付具の上記接続部がねじで取付けられ、取付具の垂下接続部が前記壁面固定具の延長部にねじで取付けられる浴槽の固定装置。
【請求項２】
壁面固定具の縦枠に壁貫通設置型燃焼機を浴室壁面に固定する上下方向の長孔を設け、取付具の垂下接続部に壁面固定具の延長部に取付ける上下方向の長孔を設けてなる請求項１記載の浴槽の固定装置。
【請求項３】
取付具の垂下接続部の上下方向の長孔と、接続部のねじ孔とを、取付具の幅方向の左右対称位置に２対設けて、浴槽の長辺側の略中央の上縁面垂下部に取付けた浴槽固定具に対する取付具の取付位置を左右に変更できる請求項２記載の浴槽の固定装置。
【発明の詳細な説明】
【０００１】
【発明の属する技術分野】
本発明は、浴室外壁に壁貫通設置型燃焼機が設置されるユニットバス等に好適な浴槽の固定装置に関する。
【０００２】
【従来の技術】
浴室に据置式に設置する浴槽は、設置した浴槽が移動しないように浴室の壁面に取付けた固定具などによって固定する方法が採られ、この浴槽の固定装置として、図４（ａ）及び（ｂ）に示すように、浴室の壁面１０に取付ねじ１１で取付けた略Ｌ形の壁面固定具１３の接続部１３ｂのねじ孔１３ｄに、係止具１２の接続片１２ｂの長孔１２ｃ部分からねじ５を挿通して取付けることにより、係止具１２の壁面固定具１３に対する取付け位置を浴室の壁面１０と直交する方向にスライド調整することができ、浴室に設置した浴槽１の上縁面１ａ外側端の垂下部１ｂを、係止具１２の当接片１２ａと浴室の壁面１０との間に差し込み固定する構造（例えば、特許文献１参照）、又は、図５に示すように、浴室の壁面１０に取付けた壁面固定具１３の接続部１３ｂ上に、二個の係止具１５，１６を組み合わせて取付けて、係止具１５，１６同士の当接片１５ａと１６ａ間に浴槽１の垂下部１ｂを挟み込んで固定する構造（例えば、特許文献２参照）等が知られている。
【０００３】
しかし、図４及び図５で示したものは、いずれも浴室の壁面１０に壁面固定具１３を取付ねじ１１で取付ける構造であり、例えばユニットバスに改装した浴室の壁面に上記の固定構造を適用して壁面固定具１３を取付ける際、薄い鋼板などで構成されるユニットバスの浴室壁面裏面側に設けられた補強材と壁面固定具を取付ける取付ねじの位置の高さが異なる場合には、取付ねじによる壁面固定具の取付強度が確保できないという問題があり、また、集合住宅の場合にはねじ穴を開けることにより防水構造を損なうという問題を有していた。
また、図５に示した固定構造では、係止具１５，１６同士の組み合わせ調整作業に手間がかかるとともに、係止具１５と１６の当接片１５ａ，１６ａの隙間に合わせながらの浴槽１の垂下部１ｂ部分の挟み込み作業が面倒で浴槽の浴室への設置施工に手間を要する問題があった。
【０００４】
【特許文献１】
実公昭６３−４５９９７号公報（第１−３頁、図４）
【特許文献２】
特開２０００−４１８８２号公報（第１−３頁、図３）
【０００５】
【発明が解決しようとする課題】
本発明は、浴室外壁に壁貫通設置型燃焼機が設置される浴室において、浴室壁面に浴槽を固定するためのねじ穴を設けたりねじ止めする必要がなく、防水性を損なうことなく取付強度が確保でき、特にユニットバスに好適な浴槽の固定装置を提供しようとするものである。
【０００６】
【課題を解決するための手段】
本発明は、次のものに関する。
（１）壁貫通設置型燃焼機が設置される浴室外壁の貫通孔の浴室内の開口部周縁に配設される固定枠部と、この固定枠部の一方の縦枠から横方向に張り出す延長部を設けた壁面固定具を介して、前記貫通孔に浴室内から設置する壁貫通設置型燃焼機が浴室壁面に固定され、浴槽の上縁面垂下部に取付けた浴槽固定具の前記浴室壁面方向に向かう接続部に、接続部の端部から垂下して垂下接続部を設けた取付具の上記接続部がねじで取付けられ、取付具の垂下接続部が前記壁面固定具の延長部にねじで取付けられる浴槽の固定装置。
（２）壁面固定具の縦枠に壁貫通設置型燃焼機を浴室壁面に固定する上下方向の長孔を設け、取付具の垂下接続部に壁面固定具の延長部に取付ける上下方向の長孔を設けてなる上記（１）記載の浴槽の固定装置。
（３）取付具の垂下接続部の上下方向の長孔と、接続部のねじ孔とを、取付具の幅方向の左右対称位置に２対設けて、浴槽の長辺側の略中央の上縁面垂下部に取付けた浴槽固定具に対する取付具の取付位置を左右に変更できる上記（２）記載の浴槽の固定装置。
【０００７】
【作用】
浴槽側に固定される取付具に取付けるための延長部を設けた壁面固定具を、壁貫通設置型燃焼機の浴室壁面への固定部と浴室壁面との間に挟み込むように設置しており、壁貫通設置型燃焼機の固定用補強材部分を使用した壁面固定具の固定が可能となり、浴槽を固定するために浴室壁面に新たにねじ穴を設ける必要がないため浴室壁面の防水性を損なうことがなく、壁面固定具の延長部に取付具を取付けるため取付強度も確保される。
【０００８】
【発明の実施の形態】
本発明による浴槽の固定装置において、浴室外壁の貫通孔に設置される壁貫通設置型燃焼機は、浴室外壁の給排気口用の方形状の貫通孔に浴室内側から嵌め込んで浴室壁面に固定し本体部分を屋外に突出し、湯、水、ガス等の配管部分が浴室内の壁面側に位置される構造の壁貫通式の燃焼機である。
【０００９】
浴槽と上記の壁貫通設置型燃焼機の取付位置は浴室の種類によって大きく分けて、浴槽が壁貫通設置型燃焼機の左側に位置する場合と右側に位置する場合との２方式に分かれるため、取付具の垂下接続部に設ける壁面固定具の延長部に取付けるための上下方向の長孔と、取付具の接続部に設ける浴槽固定具を取付けるためのねじ孔とを、取付具の幅方向の左右対称の位置に２対（２組）設けた一種類の取付具を用いて取付け位置を変更することで、上記の２方式の設置形式に対応できるようにするのが好ましい。
【００１０】
また、固定枠部に上下方向の長孔を設けた壁面固定具と、垂下接続部に上下方向の長孔を設けた取付具と、接続部に横方向の長孔を設けた浴槽固定具として、これら３種類の固定具と取付具の連結部分がスライド調整可能な構造とすることで、上下及び左右寸法の物件誤差に対応が可能で、物件毎の浴槽固定具を用意することなく１種類の浴槽固定具で施工が可能となるようにするのが好ましい。
【００１１】
壁面固定具は、延長部に取付具の垂下接続部をねじを螺合して取付けるため、板厚面方向にねじ切り加工が可能で、延長部に取付具をねじ止めした状態においてねじの先端が浴室壁面側に達しない程度の板厚（１．５〜２．５ｍｍ程度）のステンレス鋼板などで形成される。
【００１２】
【実施例】
以下、本発明による浴槽の固定装置の実施例について、図１乃至図３を用いて具体的に説明する。
図１（ａ）は本発明の浴槽の固定装置における浴槽固定具、取付具及び壁面固定具の取り付けを示す説明斜視図、図１（ｂ）は図１（ａ）中における壁面固定具における延長部への取付具の取付状態を示す詳細断面図、図２は図１中に示した壁面固定具の壁貫通設置型燃焼機による浴室壁面への固定部分の縦断面図である。
図１（ａ）及び図１（ｂ）において、壁面固定具４、取付具３及び浴槽固定具２はステンレス鋼板などの金属板を折曲げ・切削加工して形成される。
先ず、壁面固定具４は、図２に示す壁貫通設置型燃焼機８が挿入される浴室壁７の内壁面７ａから外壁面７ｂに貫通する貫通孔７ｃの浴室内開口部と同等以上の開口部を設けた額縁状の固定枠部４ａと、この固定枠部４ａの一方の縦枠部分から後述する取付具３との接続に必要となる浴室壁面に平行に側方へ張り出した延長部４ｂを有する形状に加工され、壁貫通設置型燃焼機８の外装固定部８ｂを締結部材９（タッピングネジ使用）で固定する際に、壁面固定具４をスライドさせて外装固定部８ｂに対するその取付位置が調整できるように、固定枠部４ａには浴室の壁面と平行に上下方向への長孔４ｃが設けられる。
さらに、上記の張り出した延長部４ｂには、取付具３の垂下接続部３ｂに設けた長孔３ｄ部分から挿通したねじ５を螺合して締め付けることにより壁面固定具４の延長部４ｂに取付具３を固定するためのねじ孔４ｄが加工される。
【００１３】
取付具３は、上記の壁面固定具４の延長部４ｂとねじ５で固定される垂下接続部３ｂとこの垂下接続部３ｂの浴室上方に位置される側の端部から略水平に浴槽１方向に屈曲する接続部３ａを有し、浴室壁面と鉛直な端部から浴室下方に向けて垂下した形状を有するように加工され、浴槽１長辺に平行な方向の長さは３種類の金具が連結し、浴槽１に固定される位置が浴槽１中央となる長さに加工される。
取付具３の壁面固定具４との垂下接続部３ｂには、壁面固定具４の延長部４ｂをねじ５で取付ける際に取付具３をスライドさせて壁面固定具４に対するその取付位置が調整できるように、浴室の壁面と平行に上下方向への長孔３ｄ１、３ｄ２が設けられる。また、上記の接続部３ａには後述する浴槽固定具２に設けた長孔２ｄから挿通したねじ５を螺合して締め付けることにより取付具３に浴槽固定具２を固定するためのねじ孔３ｃが加工される。
【００１４】
一方、浴槽固定具２は、上記の取付具３の接続部３ａとねじ５で固定される接続部２ｂと浴槽１の上縁面垂下部１ｂ内側に接し浴槽１とねじ６で固定される接続部２ａを有する形状の略Ｌ形に形成されており、取付具３との接続部２ｂには、取付具３の接続部３ａをねじ５で取付ける際に取付具３をスライドさせて浴槽固定具２に対するその取付位置が調整できるように、浴槽１の上縁部１ａと平行な方向（上記取付具３に設けた長孔３ｄと直交する方向）に長孔２ｄが設けられる。
また、浴槽１の上縁面垂下部１ｂ内側に接する接続部２ａには浴槽１の上縁面垂下部１ｂに設けたねじ貫通穴から挿通したねじ６を螺合して締め付けることにより浴槽１に浴槽固定具２を固定するためのねじ孔２ｃが設けられる。
【００１５】
壁面固定具に設けられるねじ孔４ｄは２ヶ所であり、長孔４ｃは壁貫通設置型燃焼機８の外装固定部８ｂのねじ孔位置と同位置に４ヶ所設けられる。浴槽固定具２に設けられるねじ孔２ｃと長孔２ｄの位置は浴槽１中央を挟んで等間隔に２ヶ所である。また、取付具３に設けられるねじ孔３ｃと長孔３ｄは浴槽固定具２の長孔２ｄと壁面固定具４のねじ孔４ｄ位置に其々２ヶ所設けられ、さらに取付具３の浴槽１長辺方向中心を基準として対称位置に２ヶ所設けられる。
【００１６】
次に、浴槽１の浴室への設置に際しては、壁貫通設置型燃焼機８の外装固定部８ｂに壁面固定具４を取付け、浴槽１長辺側中央部に浴槽固定具２を取付けた後、壁面固定具４と浴槽固定具２に取付具３を長孔２ｄ、３ｄを用いて取付位置を調整して取付ける。
なお、浴槽１を浴室壁面に平行に左右対称位置に設置する場合は、図３に示すように、壁面固定具４を裏返して取付け、取付具３の左右対称なもう１組のねじ孔３ｃ，長孔３ｄにて壁面固定具４に取付け、浴槽固定具２と取付けることで設置可能となる。
【００１７】
【発明の効果】
以上説明したように、本発明による浴槽の固定装置は、壁貫通設置型燃焼機の外装壁固定部と同一の締結方法にて取付けられるように、壁貫通設置型燃焼機の浴室壁面への固定部と浴室内壁面との間に、取付具を取付けるための延長部を設けた壁面固定具を設置しており、壁貫通設置型燃焼機の固定補強材部分を使用した壁面固定具の固定ができるため、浴室壁面に新たにねじ穴を設ける必要がなくなって防水性を損なうことなく取付強度も確保できる。
【図面の簡単な説明】
【図１】本発明による浴槽の固定装置の一実施例を示し、（ａ）は浴槽固定具、取付具及び壁面固定具の取り付けを示す説明斜視図、（ｂ）は（ａ）中における壁面固定具の延長部への取付具の取付状態を示す詳細断面図である。
【図２】図１中に示した壁面固定具の壁貫通設置型燃焼機による浴室壁面への固定部分の縦断面図である。
【図３】図１に示した浴槽と壁貫通設置型燃焼機を設置するための浴室壁面の開口部との位置関係が反対側の場合の取り付けを示す斜視図である。
【図４】（ａ）は従来例による浴槽の固定装置の斜視図、（ｂ）は（ａ）に示した浴槽の固定装置の浴室壁面への取付状態の側面断面図である。
【図５】別の従来例による浴槽の固定装置の側面断面図である。
【符号の説明】
１  浴槽                            １ａ  上縁面
１ｂ  垂下部                            ２  浴槽固定具
２ａ  固定部                          ２ｂ  接続部
２ｃ  ねじ孔                          ２ｄ  長孔
３  取付具                          ３ａ  接続部
３ｂ  垂下接続部                      ３ｃ  ねじ孔
３ｄ１，３ｄ２  長穴                      ４  壁面固定具
４ａ  固定枠部                        ４ｂ  延長部
４ｃ  長孔                            ４ｄ  ねじ孔
５  ねじ                              ６  固定ねじ
７  浴室外壁                        ７ａ  内壁面
７ｂ  外壁面                          ７ｃ  貫通孔
８  壁貫通設置型燃焼機              ８ａ  配管類の接続部
８ｂ  外装固定部                        ９  締結部材
１０  壁面                            １１  取付ねじ
１２  係止具                        １２ａ  当接片
１２ｂ  接続片                        １２ｃ  長孔
１３  壁面固定具                    １３ａ  取付部
１３ｂ  接続部                        １３ｃ  長孔
１３ｄ  ねじ孔                          １４  スペーサ
１５  係止具                          ５ａ  当接片
１５ｂ  接続片                          １６  係止具
１６ａ  当接片                        １６ｂ  接続片
【図１】
2004208927.tif 000003
【図２】
2004208927.tif 000004
【図３】
2004208927.tif 000005
【図４】
2004208927.tif 000006
【図５】
2004208927.tif 000007